(57)【要約】【課題】複数の画面に対して適切な戻り表示を行う。【解決手段】監視ポイントを示す情報が関連付けられたコンテンツ表示部４によりコンテンツが切替えられる際に、現在のコンテンツペイン１０２に表示されたコンテンツとユーティリティペイン１０４に表示された関連情報との組合わせを、時系列に記憶する履歴記憶部７を備え、コンテンツ表示部４は、戻り表示が要求された場合に、履歴記憶部７に記憶された組合わせに基づいて記憶部１から該当するコンテンツを読出して、コンテンツペイン１０２に表示し、関連情報表示部６は、戻り表示が要求された場合に、履歴記憶部７に記憶された組合わせに基づいて記憶部１から該当する関連情報を生成してユーティリティペイン１０４に表示する。【選択図】図１
2018010189.tif 000002
【特許請求の範囲】
【請求項１】
オブジェクトを示す情報が関連付けられたコンテンツを複数記憶する記憶部と、
第１表示領域及び第２表示領域を設定する設定部と、
前記記憶部からコンテンツを読出して前記第１表示領域に表示する第１表示部と、
前記第１表示部により表示されたコンテンツからオブジェクトが選択された場合に、前記記憶部から当該オブジェクトに関連する他のコンテンツを示す関連情報を生成して前記第２表示領域に表示する第２表示部と、
前記第１表示部によりコンテンツが切替えられる際に、現在の前記第１表示領域に表示されたコンテンツと前記第２表示領域に表示された関連情報との組合わせを時系列に記憶する履歴記憶部とを備え、
前記第１表示部は、前記第２表示部により表示された関連情報に基づいてコンテンツの表示が要求された場合に、前記記憶部から当該コンテンツを読出し、戻り表示が要求された場合に、前記履歴記憶部に記憶された組合わせに基づいて前記記憶部から該当するコンテンツを読出して、前記第１表示領域に表示し、
前記第２表示部は、戻り表示が要求された場合に、前記履歴記憶部に記憶された組合わせに基づいて前記記憶部から該当する関連情報を生成して前記第２表示領域に表示する
ことを特徴とする画面表示装置。
【請求項２】
前記第１表示部によりコンテンツが切替えられる際に、現在の前記第１表示領域に表示されたコンテンツにおける選択情報を記憶する第１選択情報記憶部を備え、
前記第１表示部は、戻り表示が要求された場合に、前記履歴記憶部に記憶された組合わせに基づいて前記記憶部から該当するコンテンツを読出し、前記第１選択情報記憶部に記憶された選択情報を反映した上で、前記第１表示領域に表示する
ことを特徴とする請求項１記載の画面表示装置。
【請求項３】
前記第１表示部によりコンテンツが切替えられる際に、現在の前記第２表示領域に表示された関連情報における選択情報を記憶する第２選択情報記憶部を備え、
前記第２表示部は、戻り表示が要求された場合に、前記履歴記憶部に記憶された組合わせに基づいて前記記憶部から該当する関連情報を生成し、前記第２選択情報記憶部に記憶された選択情報を反映した上で、前記第２表示領域に表示する
ことを特徴とする請求項１又は請求項２記載の画面表示装置。
【発明の詳細な説明】
【技術分野】
【０００１】
この発明は、コンテンツを表示する画面表示装置に関するものである。
【背景技術】
【０００２】
従来から、１つのウィンドウを内部枠によって複数の表示領域に区切り、各種画面の表示を行うＧＵＩが知られている（例えば特許文献１，２参照）。また、各々異なる複数のウィンドウを連携表示させるＧＵＩも知られている。このようなＧＵＩでは、複数の画面を表示する場合に、各々独立に表示を行っている。
【先行技術文献】
【特許文献】
【０００３】
【特許文献１】特開２００２−１８９５１４号公報
【特許文献２】特開２０１４−２０６８１６号公報
【発明の概要】
【発明が解決しようとする課題】
【０００４】
一方、ＷＥＢブラウザに設けられている「戻る」ボタンでは、現在表示されているＷｅｂページから直前に表示されていたＷｅｂページに遷移させることができる。しかしながら、従来技術では、ウィンドウ内の複数の表示領域又は複数のウィンドウに、複数の画面が各々独立に表示されている。そのため、ユーザから１つの画面に対して戻り表示が要求された場合には、当該画面が戻り表示されるに過ぎないという課題があった。そのため、複数の表示領域又は複数のウィンドウに表示される複数の画面に対して適切な戻り表示を行うことができない。
【０００５】
この発明は、上記のような課題を解決するためになされたもので、複数の画面に対して適切な戻り表示を行うことができる画面表示装置を提供することを目的としている。
【課題を解決するための手段】
【０００６】
この発明に係る画面表示装置は、オブジェクトを示す情報が関連付けられたコンテンツを複数記憶する記憶部と、第１表示領域及び第２表示領域を設定する設定部と、記憶部からコンテンツを読出して第１表示領域に表示する第１表示部と、第１表示部により表示されたコンテンツからオブジェクトが選択された場合に、記憶部から当該オブジェクトに関連する他のコンテンツを示す関連情報を生成して第２表示領域に表示する第２表示部と、第１表示部によりコンテンツが切替えられる際に、現在の第１表示領域に表示されたコンテンツと第２表示領域に表示された関連情報との組合わせを時系列に記憶する履歴記憶部とを備え、第１表示部は、第２表示部により表示された関連情報に基づいてコンテンツの表示が要求された場合に、記憶部から当該コンテンツを読出し、戻り表示が要求された場合に、履歴記憶部に記憶された組合わせに基づいて記憶部から該当するコンテンツを読出して、第１表示領域に表示し、第２表示部は、戻り表示が要求された場合に、履歴記憶部に記憶された組合わせに基づいて記憶部から該当する関連情報を生成して第２表示領域に表示するものである。
【発明の効果】
【０００７】
この発明によれば、上記のように構成したので、複数の画面に対して適切な戻り表示を行うことができる。
【図面の簡単な説明】
【０００８】
【図１】この発明の実施の形態１に係る画面表示装置の構成例を示す図である。
【図２】この発明の実施の形態１に係る画面表示装置の動作例を示すフローチャートである。
【図３】この発明の実施の形態１における設定部により設定されるウィンドウの一例を示す図である。
【図４】図４Ａ〜図４Ｃは、この発明の実施の形態１における関連情報表示部によりユーティリティペインに表示される関連情報の一例を示す図である。
【図５】この発明の実施の形態１に係る画面表示装置の動作例を示す図である。
【図６】この発明の実施の形態２に係る画面表示装置の構成例を示す図である。
【図７】この発明の実施の形態２に係る画面表示装置の動作例を示すフローチャートである。
【図８】この発明の実施の形態１に係る画面表示装置の動作例を示す図である。
【図９】この発明の実施の形態１に係る画面表示装置の別の動作例を示す図である。
【発明を実施するための形態】
【０００９】
以下、この発明の実施の形態について図面を参照しながら詳細に説明する。
実施の形態１．
図１はこの発明の実施の形態１に係る画面表示装置の構成例を示す図である。
画面表示装置は、ビル、工場又はプラント等の施設におけるＩ／Ｏを監視する監視システムに搭載され、監視ポイント（オブジェクト）に関するコンテンツを表示するものである。この画面表示装置は、図１に示すように、記憶部１、設定部２、入力受付部３、コンテンツ表示部（第１表示部）４、メインリスト表示部５、関連情報表示部（第２表示部）６及び履歴記憶部７を備えている。なお、画面表示装置は、システムＬＳＩ等の処理回路や、メモリ等に記憶されたプログラムを実行するＣＰＵ等により実現される。
【００１０】
記憶部１は、コンテンツを複数記憶するものである。このコンテンツのタイプ（種別）としては、グラフィック（サマリグラフ）、チャート／トレンド、ポイント、デバイス、ログ、スケジュール（タイムスケジュール）、カレンダ、イベントプログラム、定時データ出力（日月週年報）、数値演算制御、条件判断制御、火災制御、停復電制御、電力デマンド制御、外部移報等が挙げられる。また、コンテンツには、当該コンテンツのオブジェクトである監視ポイントを示す情報が関連付けられている。
【００１１】
設定部２は、第１表示領域及び第２表示領域を設定するものである。この際、設定部２は、ディスプレイ等の表示装置（不図示）に表示するウィンドウ１００を第１表示領域及び第２表示領域を含む複数の表示領域に区分けするか、第１表示領域であるウィンドウ１００及び第２表示領域であるウィンドウ１００を設ける。以下では、ウィンドウ１００を、タイトルバー１０１、コンテンツペイン（第１表示領域）１０２、メニューペイン１０３及びユーティリティペイン（第２表示領域）１０４に区分けする場合を示す（図３参照）。なお、コンテンツペイン１０２は、メインコンテンツが表示される表示領域である。また、メニューペイン１０３は、メインコンテンツと同一のタイプのコンテンツをリスト化したメインリスト（メニュー画面）が表示される表示領域である。また、ユーティリティペイン１０４は、メインコンテンツと同一の監視ポイントに関連する他のコンテンツを示す関連情報（実施の形態１では関連リスト１１０とアイコン群画面１２０と要約画面１３０）が表示される表示領域である。
【００１２】
入力受付部３は、マウス又はキーボード等の入力装置（不図示）を介したユーザによる入力を受付けるものである。
【００１３】
コンテンツ表示部４は、入力受付部３による受付け結果に応じて、記憶部１からコンテンツをメインコンテンツとして読出してコンテンツペイン１０２に表示するものである。すなわち、コンテンツ表示部４は、メインリスト表示部５により表示されたメインリストからコンテンツが選択された場合に、記憶部１から当該コンテンツをメインコンテンツとして読出してコンテンツペイン１０２に表示する。また、コンテンツ表示部４は、関連情報表示部６により表示された関連情報に基づいてコンテンツの表示が要求された場合（実施の形態１では、要約画面表示部６３により表示された要約画面１３０に対して当該要約画面１３０が示すコンテンツの表示が要求された場合）に、記憶部１から当該コンテンツをメインコンテンツとして読出してコンテンツペイン１０２に表示する。また、コンテンツ表示部４は、戻り表示が要求された場合に、履歴記憶部７に記憶された組合わせに基づいて記憶部１から該当するコンテンツをメインコンテンツとして読出してコンテンツペイン１０２に表示する。
【００１４】
メインリスト表示部５は、コンテンツ表示部４により読出されたコンテンツのタイプに基づき、記憶部１から当該タイプのコンテンツをリスト化したメインリストを生成してメニューペイン１０３に表示するものである。
【００１５】
関連情報表示部６は、入力受付部３による受付け結果に応じて、コンテンツ表示部４により表示されたコンテンツから監視ポイントが選択された場合に、記憶部１から当該監視ポイントに関連する他のコンテンツを示す関連情報を生成してユーティリティペイン１０４に表示するものである。また、関連情報表示部６は、戻り表示が要求された場合に、履歴記憶部７に記憶された組合わせに基づいて記憶部１から該当する関連情報を生成してユーティリティペイン１０４に表示する。この関連情報表示部６は、実施の形態１では、関連リスト表示部６１、アイコン群画面表示部６２及び要約画面表示部６３を有している。
【００１６】
関連リスト表示部６１は、入力受付部３による受付け結果に応じて、コンテンツ表示部４により表示されたコンテンツから監視ポイントが選択された場合に、記憶部１から当該監視ポイントに関連する他のコンテンツをリスト化した関連リスト１１０を生成してユーティリティペイン１０４に表示するものである。また、関連リスト表示部６１は、アイコン群画面表示部６２により表示されたアイコン群画面１２０からアイコンが選択された場合に、記憶部１から当該アイコンが示すタイプの上記他のコンテンツをリスト化した関連リスト１１０を生成してユーティリティペイン１０４に表示する。また、関連リスト表示部６１は、戻り表示が要求された場合に、履歴記憶部７に記憶された組合わせに基づいて記憶部１から該当する上記他のコンテンツをリスト化した関連リスト１１０を生成してユーティリティペイン１０４に表示する。
【００１７】
アイコン群画面表示部６２は、入力受付部３による受付け結果に応じて、コンテンツ表示部４により表示されたコンテンツから監視ポイントが選択された場合に、記憶部１から当該監視ポイントに関連する他のコンテンツのタイプを示すアイコンを一覧表示したアイコン群画面１２０を生成してユーティリティペイン１０４に表示するものである。また、アイコン群画面表示部６２は、戻り表示が要求された場合に、履歴記憶部７に記憶された組合わせに基づいて記憶部１から該当する上記他のコンテンツのタイプを示すアイコンを一覧表示したアイコン群画面１２０を生成してユーティリティペイン１０４に表示する。
【００１８】
要約画面表示部６３は、入力受付部３による受付け結果に応じて、記憶部１からコンテンツの要約画面１３０を生成してユーティリティペイン１０４に表示するものである。すなわち、要約画面表示部６３は、関連リスト表示部６１により表示された関連リスト１１０からコンテンツが選択された場合に、記憶部１から当該コンテンツの要約画面１３０を生成してユーティリティペイン１０４に表示する。
【００１９】
履歴記憶部７は、コンテンツ表示部４によりコンテンツが切替えられる際に、現在のコンテンツペイン１０２に表示されたコンテンツとユーティリティペイン１０４に表示された関連情報（実施の形態１では関連リスト１１０及びアイコン群画面１２０）との組合わせを、時系列に記憶するものである。
【００２０】
次に、実施の形態１に係る画面表示装置の動作例について、図１〜５を参照しながら説明する。なお、記憶部１は、オブジェクトである監視ポイントを示す情報が関連付けられたコンテンツを複数記憶している。また、設定部２は、図３に示すように、ウィンドウ１００を、タイトルバー１０１、コンテンツペイン１０２、メニューペイン１０３、ユーティリティペイン１０４に区分けするものとする。また以下では、関連情報表示部６が、関連リスト表示部６１、アイコン群画面表示部６２及び要約画面表示部６３を有する場合を示す。
【００２１】
画面表示装置の動作例では、図２に示すように、まず、入力受付部３は、ユーザからコンテンツの表示要求を受付けたかを判定する（ステップＳＴ２０１）。
【００２２】
このステップＳＴ２０１において、入力受付部３がコンテンツの表示要求を受付けたと判定した場合には、履歴記憶部７は、現在のコンテンツペイン１０２に表示されたコンテンツとユーティリティペイン１０４に表示された関連情報（関連リスト１１０及びアイコン群画面１２０）との組合わせを、時系列に記憶する（ステップＳＴ２０２）。なお、初回では、ウィンドウ１００のコンテンツペイン１０２及びユーティリティペイン１０４には画面が表示されていないため、履歴記憶部７による処理は行われない。
【００２３】
次いで、コンテンツ表示部４は、記憶部１から該当するコンテンツをメインコンテンツとして読出してコンテンツペイン１０２に表示する（ステップＳＴ２０３）。すなわち、コンテンツ表示部４は、メインリスト表示部５により表示されたメインリストからコンテンツが選択された場合に、記憶部１から当該コンテンツをメインコンテンツとして読出してコンテンツペイン１０２に表示する。また、コンテンツ表示部４は、要約画面表示部６３により表示された要約画面１３０に対して当該要約画面１３０が示すコンテンツの表示が要求された場合に、記憶部１から当該コンテンツをメインコンテンツとして読出してコンテンツペイン１０２に表示する。なお初回の表示では、例えば、予め設定されたタイプ（サマリグラフ等）のコンテンツを表示する。
【００２４】
次いで、メインリスト表示部５は、コンテンツ表示部４により読出されたコンテンツのタイプに基づき、記憶部１から当該タイプのコンテンツをリスト化したメインリストを生成してメニューペイン１０３に表示する（ステップＳＴ２０４）。例えば、メインリスト表示部５は、メインコンテンツとしてサマリグラフが表示された場合、施設内の各階又は各場所等の他のサマリグラフに切替え可能とするフォルダをツリー構造で表示する。
【００２５】
次いで、入力受付部３は、ユーザにより、コンテンツ表示部４により表示されたコンテンツの中から監視ポイントが選択されたかを判定する（ステップＳＴ２０５）。
【００２６】
このステップＳＴ２０５において、入力受付部３がコンテンツから監視ポイントが選択されたと判定した場合には、関連リスト表示部６１は、記憶部１から当該監視ポイントに関連する他のコンテンツをリスト化した関連リスト１１０を生成してユーティリティペイン１０４に表示する。この際、関連リスト表示部６１は、全てのタイプの関連リスト１１０を一覧表示する。また、アイコン群画面表示部６２は、記憶部１から上記他のコンテンツのタイプを示すアイコンを一覧表示したアイコン群画面１２０を生成してユーティリティペイン１０４に表示する（ステップＳＴ２０６）。
【００２７】
一方、ステップＳＴ２０１において、入力受付部３は、コンテンツの表示要求を受付けていないと判定した場合には、ユーザからアイコンの選択を受付けたかを判定する（ステップＳＴ２０７）。
【００２８】
このステップＳＴ２０７において、入力受付部３がアイコンの選択を受付けたと判定した場合には、関連リスト表示部６１は、記憶部１から当該アイコンが示すタイプの上記他のコンテンツをリスト化した関連リスト１１０を生成してユーティリティペイン１０４に表示する（ステップＳＴ２０８）。
【００２９】
一方、ステップＳＴ２０７において、入力受付部３がアイコンの選択を受付けていないと判定した場合には、ユーザからコンテンツの要約画面１３０の表示要求を受付けたかを判定する（ステップＳＴ２０９）。
【００３０】
このステップＳＴ２０９において、入力受付部３がコンテンツの要約画面１３０の表示要求を受付けたと判定した場合には、要約画面表示部６３は、記憶部１から当該コンテンツの要約画面１３０を生成してユーティリティペイン１０４に表示する（ステップＳＴ２１０）。すなわち、要約画面表示部６３は、関連リスト表示部６１により表示された関連リスト１１０からコンテンツが選択された場合に、記憶部１から当該コンテンツの要約画面１３０を生成してユーティリティペイン１０４に表示する。
【００３１】
一方、ステップＳＴ２０９において、入力受付部３は、コンテンツの要約画面１３０の表示要求を受付けていないと判定した場合には、ユーザから戻り表示要求を受付けたかを判定する（ステップＳＴ２１１）。
【００３２】
このステップＳＴ２１１において、入力受付部３が戻り表示要求を受付けたと判定した場合には、コンテンツ表示部４、関連リスト表示部６１及びアイコン群画面表示部６２は、履歴記憶部７に記憶された組合わせに基づいて、戻り表示を行う（ステップＳＴ２１２）。すなわち、コンテンツ表示部４は、記憶部１から該当するコンテンツをメインコンテンツとして読出してコンテンツペイン１０２に表示する。また、関連リスト表示部６１は、記憶部１から該当する上記他のコンテンツをリスト化した関連リスト１１０を生成してユーティリティペイン１０４に表示する。また、アイコン群画面表示部６２は、記憶部１から該当する上記他のコンテンツのタイプを示すアイコンを一覧表示したアイコン群画面１２０を生成してユーティリティペイン１０４に表示する。
【００３３】
ここで、実施の形態１に係る画面表示装置では、図３に示すように、ウィンドウ１００を、コンテンツペイン１０２及びユーティリティペイン１０４を含む複数の表示領域に区分けしている。これにより、１つのウィンドウ１００上に、メインコンテンツと、メインコンテンツの監視ポイントに関連する他のコンテンツを示す関連情報とを表示することができる。
【００３４】
また図４は、実施の形態１における関連情報表示部６によりユーティリティペイン１０４に表示される関連情報の一例を示す図である。この図４では、図４Ａにグラフィックの関連情報を示し、図４Ｂにチャートの関連情報を示し、図４Ｃにスケジュールの関連情報を示している。また図４では、アイコン群画面１２０と、当該アイコン群画面１２０で選択されたアイコンが示すタイプの関連リスト１１０と、当該関連リスト１１０で選択されたコンテンツの要約画面１３０とを表示した状態を示している。
図４の例では、まず、関連リスト表示部６１及びアイコン群画面表示部６２は、全てのタイプの関連リスト１１０及びアイコン群画面１２０をユーティリティペイン１０４に表示する。そして、ユーザによってアイコン群画面１２０の中から所望のアイコンが選択されると、関連リスト表示部６１は、当該アイコンが示すタイプの関連リスト１１０のみをユーティリティペイン１０４に表示する。そして、ユーザにより関連リスト１１０の中から所望のコンテンツが選択されると、要約画面表示部６３は、当該コンテンツの要約画面１３０をユーティリティペイン１０４に表示する。なお図４の例では、要約画面１３０に、当該要約画面１３０が示すコンテンツの表示を要求するための「詳細」ボタン１３０１が設けられている。そして、ユーザにより要約画面１３０の「詳細」ボタン１３０１が押されると、コンテンツ表示部４は、当該要約画面１３０が示すコンテンツをコンテンツペイン１０２に表示する。
【００３５】
一方、履歴記憶部７では、コンテンツペイン１０２に表示されるコンテンツが切替えられる際に、現在のコンテンツペイン１０２に表示されたコンテンツとユーティリティペイン１０４に表示された関連情報（関連リスト１１０及びアイコン群画面１２０）との組合わせを、時系列に記憶している。そして、ユーザにより戻り表示が要求されると、コンテンツ表示部４及び関連情報表示部６（関連リスト表示部６１及びアイコン群画面表示部６２）は、上記組合わせに基づいて、１つ前にコンテンツペイン１０２に表示されたコンテンツとユーティリティペイン１０４に表示された関連情報とを再度表示する。これにより、複数の関連する画面に対して、ユーザ操作の履歴に沿って後戻りすることができ、適切な戻り表示を行うことが可能となる。
【００３６】
例えば図５に示すように、コンテンツペイン１０２にコンテンツＡが表示され、ユーティリティペイン１０４に、関連する全てのタイプの関連リストＡ’及び当該タイプを示すアイコン群画面Ｘが表示されているとする。
そして、ユーザが、アイコン群画面Ｘの中からアイコンを選択すると（アイコン群画面Ｘ１）、ユーティリティペイン１０４に当該アイコンを示すタイプの関連リストＡ１’のみが表示される。そして、ユーザが、この関連リストＡ１’に対し、コンテンツＢの要約画面ｂを表示させて、当該コンテンツＢの表示要求を行ったとする。すると、履歴記憶部７はコンテンツＡと関連リストＡ’及びアイコン群画面Ｘの組合わせを記憶する。その後、コンテンツペイン１０２にはコンテンツＢが表示され、ユーティリティペイン１０４には、関連する全てのタイプの関連リストＢ’及び当該タイプを示すアイコン群画面Ｙが表示される。
【００３７】
そして、ユーザが、アイコン群画面Ｙの中からアイコンを選択すると（アイコン群画面Ｙ１）、ユーティリティペイン１０４に当該アイコンを示すタイプの関連リストＢ１’のみが表示される。そして、ユーザが、この関連リストＢ１’に対し、コンテンツＣの要約画面ｃを表示させて、当該コンテンツＣの表示要求を行ったとする。すると、履歴記憶部７はコンテンツＢと関連リストＢ’及びアイコン群画面Ｙの組合わせを記憶する。その後、コンテンツペイン１０２にはコンテンツＣが表示され、ユーティリティペイン１０４には、関連する全てのタイプの関連リストＣ’及び当該タイプを示すアイコン群画面Ｚが表示される。
【００３８】
この状態で、ユーザが戻り表示を要求すると、コンテンツペイン１０２にはコンテンツＢが表示され、ユーティリティペイン１０４には、関連する全てのタイプの関連リストＢ’及び当該タイプを示すアイコン群画面Ｙが表示される。
そして、ユーザがもう一度戻り表示を要求すると、コンテンツペイン１０２にはコンテンツＡが表示され、ユーティリティペイン１０４には、関連する全てのタイプの関連リストＡ’及び当該タイプを示すアイコン群画面Ｘが表示される。
【００３９】
なお、実施の形態１に係る画面表示装置では、履歴記憶部７は、ユーティリティペイン１０４に表示される関連情報が切替えられる際には、現在のコンテンツペイン１０２に表示されたコンテンツとユーティリティペイン１０４に表示された関連情報との組合わせを記憶しない。すなわち、ユーティリティペイン１０４に対する関連情報の切替えは、ユーザが次のアクションを探っていた操作と捉えることができ、ユーザ作業の導線を示すものではないと考えられるからである。これにより、戻り表示に、無駄なユーザ操作を含めないようにすることができ、ユーザ作業の手順に即した操作履歴を辿ることができる。
【００４０】
以上のように、この実施の形態１によれば、監視ポイントが関連付けられたコンテンツを複数記憶する記憶部１と、コンテンツペイン１０２及びユーティリティペイン１０４を設定する設定部２と、記憶部１からコンテンツを読出してコンテンツペイン１０２に表示するコンテンツ表示部４と、コンテンツ表示部４により表示されたコンテンツから監視ポイントが選択された場合に、記憶部１から当該監視ポイントに関連する他のコンテンツを示す関連情報を生成してユーティリティペイン１０４に表示する関連情報表示部６と、コンテンツ表示部４によりコンテンツが切替えられる際に、現在のコンテンツペイン１０２に表示されたコンテンツとユーティリティペイン１０４に表示された関連情報との組合わせを時系列に記憶する履歴記憶部７とを備え、コンテンツ表示部４は、関連情報表示部６により表示された関連情報に基づいてコンテンツの表示が要求された場合に、記憶部１から当該コンテンツを読出し、戻り表示が要求された場合に、履歴記憶部７に記憶された組合わせに基づいて記憶部１から該当するコンテンツを読出して、コンテンツペイン１０２に表示し、関連情報表示部６は、戻り表示が要求された場合に、履歴記憶部７に記憶された組合わせに基づいて記憶部１から該当する他のコンテンツに関する関連情報を生成してユーティリティペイン１０４に表示するように構成したので、複数の画面に対して適切な戻り表示を行うことができる。
【００４１】
実施の形態２．
図６はこの発明の実施の形態２に係る画面表示装置の構成例を示す図である。この図６に示す実施の形態２に係る画面表示装置は、図１に示す実施の形態１に係る画面表示装置に、第１選択情報記憶部８及び第２選択情報記憶部９を追加したものである。その他の構成は同様であり、同一の符号を付して異なる部分についてのみ説明を行う。
【００４２】
第１選択情報記憶部８は、コンテンツ表示部４によりコンテンツが切替えられる際に、現在のコンテンツペイン１０２に表示されたコンテンツにおける選択情報を記憶するものである。
第２選択情報記憶部９は、コンテンツ表示部４によりコンテンツが切替えられる際に、現在のユーティリティペイン１０４に表示された関連情報における選択情報を記憶するものである。
【００４３】
なお、コンテンツ表示部４は、戻り表示が要求された場合に、履歴記憶部７に記憶された組合わせに基づいて記憶部１から該当するコンテンツを読出し、第１選択情報記憶部８に記憶された選択情報を反映した上で、コンテンツペイン１０２に表示する。
また、関連情報表示部６は、戻り表示が要求された場合に、履歴記憶部７に記憶された組合わせに基づいて記憶部１から該当する関連情報を生成し、第２選択情報記憶部９に記憶された選択情報を反映した上で、ユーティリティペイン１０４に表示する。この際、実施の形態２では、アイコン群画面表示部６２は、アイコン群画面１２０を生成し、該当するタイプが選択された状態でユーティリティペイン１０４に表示する。また、関連リスト表示部６１は、記憶部１から上記タイプの関連リスト１１０を生成してユーティリティペイン１０４に表示する。
【００４４】
次に、実施の形態２に係る画面表示装置の動作例について、図７を参照しながら説明する。この図７に示す実施の形態２に係る画面表示装置の動作例は、図２に示す実施の形態１に係る画面表示装置の動作例のステップＳＴ２０３の前段にステップＳＴ７０１を追加し、ステップＳＴ２１２をステップＳＴ７０２に変更したものである。その他の動作は同様であり、同一の符号を付して異なる部分についてのみ説明を行う。
【００４５】
ステップＳＴ７０１では、第１選択情報記憶部８及び第２選択情報記憶部９は、現在の選択情報を記憶する。すなわち、第１選択情報記憶部８は、現在のコンテンツペイン１０２に表示されたコンテンツにおける選択情報を記憶する。また、第２選択情報記憶部９は、現在のユーティリティペイン１０４に表示された関連情報における選択情報を記憶する。
【００４６】
また、ステップＳＴ７０２では、コンテンツ表示部４、関連リスト表示部６１及びアイコン群画面表示部６２は、履歴記憶部７に記憶された組合わせに基づいて、第１選択情報記憶部８及び第２選択情報記憶部９に記憶された選択情報を反映させて、戻り表示を行う。すなわち、コンテンツ表示部４は、記憶部１から該当するコンテンツを読出し、第１選択情報記憶部８に記憶された選択情報を反映した上で、コンテンツペイン１０２に表示する。また、アイコン群画面表示部６２は、アイコン群画面１２０を生成し、該当するタイプが選択された状態でユーティリティペイン１０４に表示する。また、関連リスト表示部６１は、記憶部１から上記タイプの関連リスト１１０を生成してユーティリティペイン１０４に表示する。
【００４７】
ここで、実施の形態２に係る画面表示装置では、コンテンツペイン１０２に表示されたコンテンツが切替えられる際に、現在のコンテンツペイン１０２に表示されたコンテンツとユーティリティペイン１０４に表示された関連情報（関連リスト１１０及びアイコン群画面１２０）とを記憶し、更に、その際の選択情報も記憶する。すなわち、第１選択情報記憶部８は、コンテンツペイン１０２に表示されたコンテンツにおいて、どの監視ポイントが選択されていたのか等の直前の選択情報を記憶する。また、第２選択情報記憶部９は、ユーティリティペイン１０４に表示された関連情報において、どのアイコンが選択されていたのか等の直前の選択情報を記憶する。
【００４８】
一方、第１選択情報記憶部８は、コンテンツペイン１０２に表示されたコンテンツに対して行われた現在の選択情報以外の過去の選択情報は記憶しない。また、第２選択情報記憶部９は、ユーティリティペイン１０４に表示された関連情報に対して行われた現在の選択情報以外の過去の選択情報は記憶しない。すなわち、過去の選択情報は、ユーザが操作すべき監視ポイントやコンテンツを探していた操作である可能性が高く、ユーザ作業の導線とは無関係であると考えられるためである。
【００４９】
次に、実施の形態２に係る画面表示装置の動作の具体例について説明する。
例えば図８に示すように、コンテンツペイン１０２にコンテンツＡが表示され、ユーティリティペイン１０４に、関連する全てのタイプの関連リストＡ’及び当該タイプを示すアイコン群画面Ｘが表示されているとする。
そして、ユーザが、アイコン群画面Ｘの中からアイコンを選択すると（アイコン群画面Ｘ１）、ユーティリティペイン１０４に当該アイコンを示すタイプの関連リストＡ１’のみが表示される。そして、ユーザが、コンテンツＡにおいて監視ポイントＡ１を選択し、関連リストＡ１’に対し、コンテンツＢの要約画面ｂを表示させて、当該コンテンツＢの表示要求を行ったとする。すると、履歴記憶部７はコンテンツＡと関連リストＡ’及びアイコン群画面Ｘの組合わせを記憶し、第１選択情報記憶部８は監視ポイントＡ１の選択を記憶し、第２選択情報記憶部９は上記アイコンの選択を記憶する。その後、コンテンツペイン１０２にはコンテンツＢが表示され、ユーティリティペイン１０４には、関連する全てのタイプの関連リストＢ’及び当該アイコンを示すアイコン群画面Ｙが表示される。
【００５０】
そして、ユーザが、アイコン群画面Ｙの中からアイコンを選択すると（アイコン群画面Ｙ１）、ユーティリティペイン１０４に当該アイコンを示すタイプの関連リストＢ１’のみが表示される。そして、ユーザが、コンテンツＢにおいて監視ポイントＢ１を選択し、関連リストＢ１’に対し、コンテンツＣの要約画面ｃを表示させて、当該コンテンツＣの表示要求を行ったとする。すると、履歴記憶部７はコンテンツＢと関連リストＢ’及びアイコン群画面Ｙの組合わせを記憶し、第１選択情報記憶部８は監視ポイントＢ１の選択を記憶し、第２選択情報記憶部９は上記アイコンの選択を記憶する。その後、コンテンツペイン１０２にはコンテンツＣが表示され、ユーティリティペイン１０４には、関連する全てのタイプの関連リストＣ’及び当該タイプを示すアイコン群画面Ｚが表示される。
【００５１】
この状態で、ユーザが戻り表示を要求すると、コンテンツペイン１０２にはコンテンツＢが監視ポイントＢ１が選択された状態で表示され、ユーティリティペイン１０４には関連リストＢ１’及びアイコン群画面Ｙ１が表示される。
そして、ユーザがもう一度戻り表示を要求すると、コンテンツペイン１０２にはコンテンツＡが監視ポイントＡ１が選択された状態で表示され、ユーティリティペイン１０４には関連リストＡ１’及びアイコン群画面Ｘ１が表示される。
【００５２】
また、例えば図９に示すように、コンテンツペイン１０２にコンテンツＡが表示され、ユーティリティペイン１０４に、関連する全てのタイプの関連リストＡ’及び当該タイプを示すアイコン群画面Ｘが表示されているとする。
そして、ユーザが、アイコン群画面Ｘの中からアイコンを選択すると（アイコン群画面Ｘ１）、ユーティリティペイン１０４に当該アイコンを示すタイプの関連リストＡ１’のみが表示される。そして、ユーザが、コンテンツＡにおいて監視ポイントＡ１を選択し、関連リストＡ１’に対し、コンテンツＢの要約画面ｂを表示させて、当該コンテンツＢの表示要求を行ったとする。すると、履歴記憶部７はコンテンツＡと関連リストＡ’及びアイコン群画面Ｘの組合わせを記憶し、第１選択情報記憶部８は監視ポイントＡ１の選択を記憶し、第２選択情報記憶部９は上記アイコンの選択を記憶する。その後、コンテンツペイン１０２にはコンテンツＢが表示され、ユーティリティペイン１０４には、関連する全てのタイプの関連リストＢ’及び当該タイプを示すアイコン群画面Ｙが表示される。
【００５３】
そして、ユーザが、アイコン群画面Ｙの中からアイコンを選択すると（アイコン群画面Ｙ１）、ユーティリティペイン１０４に当該アイコンを示すタイプの関連リストＢ１’のみが表示される。そして、ユーザが、コンテンツＢにおいて監視ポイントＢｘを選択した後に監視ポイントＢ１を選択し、関連リストＢ１’に対し、コンテンツＣの要約画面ｃを表示させて、当該コンテンツＣの表示要求を行ったとする。すると、履歴記憶部７はコンテンツＢと関連リストＢ’及びアイコン群画面Ｙの組合わせを記憶し、第１選択情報記憶部８は監視ポイントＢ１の選択を記憶し、第２選択情報記憶部９は上記アイコンの選択を記憶する。この際、第１選択情報記憶部８は、監視ポイントＢｘの選択は記憶しない。その後、コンテンツペイン１０２にはコンテンツＣが表示され、ユーティリティペイン１０４には、関連する全てのタイプの関連リストＣ’及び当該タイプを示すアイコン群画面Ｚが表示される。
【００５４】
この状態で、ユーザが戻り表示を要求すると、コンテンツペイン１０２にはコンテンツＢが監視ポイントＢ１が選択された状態で表示され、ユーティリティペイン１０４には関連リストＢ１’及びアイコン群画面Ｙ１が表示される。
そして、ユーザがもう一度戻り表示を要求すると、コンテンツペイン１０２にはコンテンツＡが監視ポイントＡ１が選択された状態で表示され、ユーティリティペイン１０４には関連リストＡ１’及びアイコン群画面Ｘ１が表示される。
【００５５】
以上のように、この実施の形態２によれば、コンテンツ表示部４によりコンテンツが切替えられる際に、現在のコンテンツペイン１０２に表示されたコンテンツにおける選択情報を記憶する第１選択情報記憶部８と、コンテンツ表示部４によりコンテンツが切替えられる際に、現在のユーティリティペイン１０４に表示された情報における選択情報を記憶する第２選択情報記憶部９とを備え、コンテンツ表示部４は、戻り表示が要求された場合に、履歴記憶部７に記憶された組合わせに基づいて記憶部１から該当するコンテンツを読出し、第１選択情報記憶部８に記憶された選択情報を反映した上で、コンテンツペイン１０２に表示し、関連情報表示部６は、戻り表示が要求された場合に、履歴記憶部７に記憶された組合わせに基づいて記憶部１から該当する関連情報を生成し、第２選択情報記憶部９に記憶された選択情報を反映した上で、ユーティリティペイン１０４に表示するように構成したので、実施の形態１における効果に加え、表示内容の後戻りだけではなく、ユーザによる選択状況も辿ることができる。
【００５６】
なお上記では、第１選択情報記憶部８及び第２選択情報記憶部９を両方設けた場合を示したが、これに限るものではなく、一方のみを設けるようにしてもよい。
【００５７】
また実施の形態１，２では、設定部２は、ウィンドウ１００をコンテンツペイン１０２（第１表示領域）及びユーティリティペイン１０４（第２表示領域）を含む複数の表示領域に区分けする場合を示した。しかしながら、これに限るものではなく、設定部２は、第１表示領域であるウィンドウ１００及び第２表示領域であるウィンドウ１００を設けるようにしてもよく、この場合にも上記と同様の効果を得ることができる。
【００５８】
また実施の形態１，２では、画面表示装置が、ビル、工場又はプラント等のＩ／Ｏを監視する監視システムに搭載され、監視ポイントに関するコンテンツを表示するものとして説明を行った。しかしながら、これに限るものではなく、メインコンテンツと、当該メインコンテンツから選択されたオブジェクトに関連する他のコンテンツを示す関連情報とを表示する画面表示装置であればよく、同様に適用可能である。
【００５９】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６０】
１  記憶部
２  設定部
３  入力受付部
４  コンテンツ表示部（第１表示部）
５  メインリスト表示部
６  関連情報表示部（第２表示部）
７  履歴記憶部
８  第１選択情報記憶部
９  第２選択情報記憶部
６１  関連リスト表示部
６２  アイコン群画面表示部
６３  要約画面表示部
１００  ウィンドウ
１０１  タイトルバー
１０２  コンテンツペイン（第１表示領域）
１０３  メニューペイン
１０４  ユーティリティペイン（第２表示領域）
１１０  関連リスト
１２０アイコン群画面
１３０  要約画面
１３０１  「詳細」ボタン
【図１】
2018010189.tif 000003
【図２】
2018010189.tif 000004
【図３】
2018010189.tif 000005
【図４】
2018010189.tif 000006
【図５】
2018010189.tif 000007
【図６】
2018010189.tif 000008
【図７】
2018010189.tif 000009
【図８】
2018010189.tif 000010
【図９】
2018010189.tif 000011